(57)【要約】【課題】取扱が容易で、耐久性を有し、複数の手提げ袋を引掛けて持ち運ぶことができる補助具を提供する。【解決手段】長尺の部材をその両端面が相対向するように曲げた形状に本体１を形成し、本体１の両端面間に、本体の外周側および内周側の間隔が該外周側と内周側の間よりも広くなるように間隙３を形成し、本体１の内周部分には手先、指先を通す空間５を形成し、本体１の外周面には、手提げ袋把持部を張架する断面凹状の溝７を形成している。このとき、本体１を構成する部材の弾性により、手提げ袋把持部を間隙３に挿脱する際に、間隙３の間隔が手提げ袋把持部の挿脱時に数ミリメートル広がるとともに挿脱後に元の状態に戻るようにし、手提げ袋把持部を間隙３への挿脱を容易に行えるようにした。【選択図】図４
0003143797.tif 000002
【実用新案登録請求の範囲】
【請求項１】
プラスチックフィルム製或いは紙製或いは布製の手提げ袋の把持部を一括して保持するための手提げ袋把持部の補助具であって、
長尺の部材をその両端面が相対向するように円状若しくは矩形状に曲げた形状を有する本体と、
前記本体の前記両端面間に、前記本体の外周側および内周側の間隔が該外周側と内周側の間よりも広く形成された手提げ袋把持部の挿脱用の間隙と
を備え、
前記本体を構成する前記部材の弾性により、前記間隙の間隔が前記手提げ袋把持部の挿脱時に数ミリメートル広がるとともに挿脱後に元の状態に戻る手提げ袋把持部の補助具。
【請求項２】
前記本体の外周面に少なくとも半周にわたり断面凹状に形成された手提げ袋把持部の張架用の溝をさらに備えた請求項１に記載の手提げ袋把持部の補助具。
【請求項３】
前記本体は、断面ほぼコ字状若しくはＵ字状を有する前記部材を曲げて形成されている請求項２に記載の手提げ袋把持部の補助具。
【請求項４】
前記間隙を構成する前記部材の両端面は、前記部材の軸に対して垂直状態から傾斜し、かつ、前記両端面の縁は面取り加工されている請求項１ないし３のいずれかに記載の手提げ袋把持部の補助具。
【請求項５】
前記間隙に挿脱されて前記本体に着脱自在に設けられた前記手提げ袋把持部の結束体をさらに備えた請求項１ないし４のいずれかに記載の手提げ袋把持部の補助具。
【考案の詳細な説明】
【技術分野】
【０００１】
この考案は、プラスチックフィルム製或いは布製などの手提げ袋の把持部を一括して保持するための手提げ袋把持部の補助具に関するものである。
【背景技術】
【０００２】
通常、スーパーマーケットやコンビニエンスストアなどで買物をすると、商品を持ち運ぶためのプラスチックフィルム製の手提げ袋がレジで配布される。最近では、地球温暖化抑制のため、エコロジーバッグ或いはエコバッグと称される布製の手提げ袋を持参してスーパーマーケットやコンビニエンスストアで買物をする買物客も増えている。
【０００３】
ところが、プラスチックフィルム製の手提げ袋に多くの商品を収容した場合、手提げ袋の重量が非常に重くなり、手提げ袋の把持部が紐のように細くなって手に食い込み、非常に持ちづらくなるという問題があった。また、エコバッグなどと称される布製の手提げ袋でも、同様の問題が生じている。
【０００４】
そこで従来、例えば特許文献１に記載のように、厚紙を３つに折り曲げて３つの片を形成し、対向する２片間の１片に手提げ袋の把持部を引掛けて把持するようにした把持具が提案されている。
【０００５】
【特許文献１】特開２００６−３３５４３５号公報（段落０００８、００１４〜００１８および図１〜図３）
【考案の開示】
【考案が解決しようとする課題】
【０００６】
しかし、上記した特許文献１に記載のものは紙製であるため、耐久性に欠け、長期間にわたって使用できず、複数の手提げ袋の把持部を引掛けた場合には、変形して使用できなくなるおそれがある。
【０００７】
この考案は上記課題に鑑みなされたものであり、取扱が容易で、耐久性を有し、複数の手提げ袋を引掛けて持ち運ぶことができる補助具を提供することを目的とする。
【課題を解決するための手段】
【０００８】
上記した課題を解決するために、本考案は、プラスチックフィルム製或いは紙製或いは布製の手提げ袋の把持部を一括して保持するための手提げ袋把持部の補助具であって、長尺の部材をその両端面が相対向するように円状若しくは矩形状に曲げた形状を有する本体と、前記本体の前記両端面間に、前記本体の外周側および内周側の間隔が該外周側と内周側の間よりも広く形成された手提げ袋把持部の挿脱用の間隙とを備え、前記本体を構成する前記部材の弾性により、前記間隙の間隔が前記手提げ袋把持部の挿脱時に数ミリメートル広がるとともに挿脱後に元の状態に戻ることを特徴としている（請求項１）。
【０００９】
また、前記本体の外周面に少なくとも半周にわたり断面凹状に形成された手提げ袋把持部の張架用の溝をさらに備えているのが望ましい（請求項２）。このとき前記本体は、断面ほぼコ字状若しくはＵ字状を有する前記部材を曲げて形成されているとよい（請求項３）。
【００１０】
また、前記間隙を構成する前記部材の両端面は、前記部材の軸に対して垂直状態から傾斜し、かつ、前記両端面の縁は面取り加工されていてもよい（請求項４）。
【００１１】
また、前記間隙に挿脱されて前記本体に着脱自在に設けられた前記手提げ袋把持部の結束体をさらに備えるようにしてもよい（請求項５）。
【考案の効果】
【００１２】
請求項１に記載の考案によれば、本体の外周側および内周側の間隔が該外周側と内周側の間よりも広くなるように間隙が形成されており、本体に形成された間隙に手提げ袋把持部を挿入する際、間隙の間隔が本体を構成する部材の弾性によって数ミリメートル広がるため、手提げ袋把持部を間隙に容易に挿入できて手提げ袋把持部を本体の内周側に引掛けることができ、手提げ袋把持部を間隙から容易に抜き出すことができる。
【００１３】
そして、手提げ袋把持部を本体の内周側に引掛けた状態で本体の内周部分に手先を通して把持することで、手提げ袋を本体とともに持ち運ぶことが可能になる。また、複数の手提げ袋把持部を本体の間隙に挿入すれば、一度に複数の手提げ袋を持ち運ぶことができる。
【００１４】
したがって、手提げ袋に収容した荷物が重くても、手提げ袋把持部を直接把持する場合のように手のひらに食い込んで痛くなることがない。しかも、手提げ袋把持部の挿入完了後には、間隙の間隔が本体を構成する部材の弾性によって元の狭い状態に戻っているため、持ち運び時に間隙が指に当たる位置にあっても間隙に指が嵌り込んで指先を痛めることもなく、手提げ袋を違和感なく楽に持ち運ぶことが可能になる。
【００１５】
なお、本体を構成する部材は、新円状や扁平な円状、或いは、楕円状のほか、矩形状に曲げることができて、しかも手提げ袋の荷重で変形しない程度の剛性を有すると同時に、間隙の間隔が手提げ袋把持部の挿脱時に数ミリメートル広がるとともに挿脱後に元の状態に戻る程度の弾性を有する材質のものであればよく、例えば樹脂製、木製のほか金属製であってもよい。
【００１６】
さらに、持ち運び易さを向上するために、本体の内周側の角部分には面取りを施しておくと、本体の内周部分に通した手先、指先に痛みを与えることを防止でき、長時間の持ち運びも容易に行えるようになる。
【００１７】
また、請求項２に記載の考案によれば、本体の外周面の少なくとも半周にわたって形成された溝に手提げ袋把持部を張架することができ、固溶に張架した状態でも手提げ袋を本体とともに持ち運ぶことが可能になり、手提げ袋の数や荷重のバランスに応じて、手提げ袋把持部を本体の内周側に引掛けるか本体の外周側の溝に張架するか、利用者は持ち運びやすい方を選択することができて使い勝手がよい。
【００１８】
このとき、請求項３のように、本体を構成する部材に断面コ字状或いはＵ字状のものを使用すれば、本体の外周面の溝を容易に形成することができる。
【００１９】
また、請求項４に記載の考案によれば、本体を構成する部材の両端面を傾斜させ、かつ、その両端面の縁を面取り加工するため、手提げ袋把持部の間隙内外への挿脱をいっそう容易に行うことが可能になる。
【００２０】
また、請求項５に記載の考案によれば、輪ゴムのような結束体を間隙に挿脱して本体に着脱自在に設けておけば、結束体を間隙から抜き出して手提げ袋把持部を結束することができ、手提げ袋に収容した荷物の状況に応じてより容易に持ち運ぶことができ、手提げ袋を床や台上に置いたときに、手提げ袋把持部を結束しておくことで手提げ袋の開口が開いて中から荷物があふれ出ることを未然に防止できて非常に便利である。
【考案を実施するための最良の形態】
【００２１】
本考案に係る手提げ袋把持部の補助具の一実施形態について、図１ないし図１０を参照して詳細に説明する。ここで、図１は正面図、図２は平面図、図３は側面図、図４は斜視図、図５は結束体を示す図、図６ないし図９はそれぞれ異なる使用状態を表わす図、図１０は適用可能な手提げ袋を示す図である。
【００２２】
図１ないし図４に示すように、１は手提げ袋把持部の補助具の本体であり、例えば樹脂から成る長尺の部材をその両端面が相対向するように円状若しくは矩形状に曲げた形状に形成されている。そして、本体１を構成する部材の両端面間には１〜２ミリメートルの間隙３が形成され、本体１の内周部分には持ち運び時に手先、指先を通す空間５が形成されている。
【００２３】
間隙３は、特に図１に示されるように、当該部材の軸に対して垂直ではなく傾斜して形成され、しかも間隙３の間隔は、本体１の外周側および内周側が該外周側と内周側の間よりも広くなるように形成されている。さらに、間隙３を構成する部材の両端面の縁は面取り加工されており、当該両端面の尖った縁への手提げ袋把持部の引っ掛かりによる破損を未然に防止している。
【００２４】
また、本体１を構成する部材の弾性により、間隙３の間隔が手提げ袋把持部の挿脱時に３〜５ミリメートルに広がるとともに、挿脱後には元の１〜２ミリメートルの状態に戻るようになっている。そのため、手提げ袋として、スパーマーケットやコンビニエンスストアのレジなどで配布されるプラスチックフィルム製の手提げ袋のように把持部が薄くて細い可撓性のよいものに限らず、エコバッグと称される布製の手提げ袋や、把持部がビニール紐からなる紙製の手提げ袋であっても、それらの把持部を容易に間隙３の内外に挿脱することができるようになっている。
【００２５】
さらに、本体１の外周面には、断面凹状に形成された手提げ袋把持部の張架用の溝７が全周にわたって形成されており、手提げ袋の数や荷重のバランスに応じて、利用者は手提げ袋把持部を本体１の内周側に引掛けるか溝７に張架するか持ち運びやすい方を選択できるほか、本体１の内周側に引掛けつつ溝７に張架して、両方の併用により複数の手提げ袋を持ち運ぶこともできる構成となっている。
【００２６】
また、本体１の内周側の角部分には全周にわたって面取り加工が施されており、本体１の内周部分に通した手先、指先に痛みを与えることが防止されて長時間の持ち運びを容易に行えるようになっている。
【００２７】
ところで、本体１を構成する部材が上記した樹脂製の場合には、成形加工により図示のような形状に加工して間隙３、空間５、溝７を形成することができる。また、樹脂に限らず木製や金属製の部材により本体１を構成してもよく、要するに新円状や扁平な円状、或いは、楕円状のほか、矩形状に曲げることができて、しかも手提げ袋の荷重で変形しない程度の剛性を有すると同時に、間隙３の間隔が手提げ袋把持部の挿脱時に数ミリメートル広がるとともに挿脱後に元の状態に戻る程度の弾性を有する材質のものであればよい。
【００２８】
さらに、本体１を構成する部材に断面コ字状或いはＵ字状のものを使用すれば、部材を曲げるだけで本体１の外周面の溝７を簡単に形成することができる。
【００２９】
また、本体１にはゴム紐から成るリング状の結束体９が、間隙３に挿脱されて本体１に着脱自在に設けられている。この結束体９は、ゴム紐の両端を括り、任意の位置で締め付け可能な止め具１０が途中に設けられて成り、手提げ袋把持部をこの結束体９により結束することで、手提げ袋を床や台上に置いたときなどに、手提げ袋の開口を閉じた状態に保持し、手提げ袋の開口が開いて中から荷物があふれ出ることを未然に防止できるようになっている。さらに、手提げ袋を持ち運ばないときには、結束体９を間隙３に挿入するか或いは溝７の全周にわたって張架しておけば邪魔にならない。
【００３０】
なお、この結束体９は、上記したようなゴム紐の両端を括ったものに限らず、輪ゴムそのものを結束体９として利用してもよく、要するに間隙３に挿脱されて本体１に着脱自在に設けられて手提げ袋把持部を結束し得るものであればどのようなものであってもよい。
【００３１】
そして、上記した補助具を実際に使用する場合の動作等について説明する。
【００３２】
図６は、レジなどで配布されるプラスチックフィルム製の手提げ袋１１を本体１の内周側に引掛けて持ち運ぶ場合の例を示しており、手提げ袋１１の把持部１１ａを本体１の間隙３に挿入して手提げ袋１１の把持部１１ａを本体１の内周部分に引掛け、本体１の内周部分の空間５に手先、指先を通して本体１の上半部を持つことにより、従来のように把持部１１ａが手のひらなどに食い込むことなく手提げ袋１１を容易に持ち運ぶことができる。そして、手提げ袋１１を本体１の間隙３から抜き出すことで、手提げ袋１１内の荷物を取り出すことができる。
【００３３】
図７は、エコバッグと称される布製の手提げ袋１２を本体１の内周側に引掛けて持ち運ぶ場合の例を示しており、手提げ袋１２の把持部１２ａを本体１の間隙３に挿入して手提げ袋１２の把持部１２ａを本体１の内周部分に引掛け、本体１の内周部分の空間５に手先、指先を通して本体１の上半部を持つことにより、手提げ袋１２を容易に持ち運ぶことができる。
【００３４】
このとき、上記したように本体１を構成する部材の弾性により、間隙３の間隔が手提げ袋把持部の挿脱時に３〜５ミリメートルに広がるとともに、挿脱後には元の１〜２ミリメートルの状態に戻ることから、布製の手提げ袋１２であっても、その把持部１２ａを本体１の間隙３の内外に簡単に挿脱することができる。
【００３５】
図８は、プラスチックフィルム製の手提げ袋１１を本体１の外周の溝７張架して持ち運ぶ場合の例を示しており、手提げ袋１１の把持部１１ａを本体１の外周上半部の溝７に張架し、本体１の内周部分の空間５に手先、指先を通して本体１の上半部を持つことによって、従来のように把持部１１ａが手のひらなどに食い込むことなく手提げ袋１１を容易に持ち運ぶことができる。この場合、手提げ袋１１を本体１の間隙３から抜き出す手間が不要なため、手提げ袋１１内からの荷物の取り出しを容易に行える。
【００３６】
図９は、プラスチックフィルム製の手提げ袋１１を複数持ち運ぶ場合の例を示しており、手提げ袋１１の把持部１１ａを本体１の間隙３に挿入して手提げ袋１１の把持部１１ａを本体１の内周部分に引掛けたり、手提げ袋１１の把持部１１ａを本体１の外周上半部の溝７に張架することで、複数の手提げ袋１１を容易に持ち運ぶことができる。このとき、手提げ袋１１の把持部１１ａを結束体９により結束しておけば、手提げ袋１１の開口を閉じた状態に保持できるため、手提げ袋１１を床や台上に置いても、手提げ袋１１の開口が開いて中から荷物があふれ出ることがない。
【００３７】
また、複数の手提げ袋を持ち運ぶ場合、全ての手提げ袋の把持部を本体１の間隙３に挿入しても、或いは、全ての手提げ袋の把持部を本体１の溝７に張架してもよい。
【００３８】
さらに、プラスチックフィルム製の手提げ袋１１や布製の手提げ袋１２のほか、図１０に示すような把持部１３ａがビニール紐からなる紙製の手提げ袋１３など異なる種類の手提げ袋を同時に持ち運ぶ場合も、上記したように本体１を構成する部材の弾性により、間隙３の間隔が手提げ袋把持部の挿脱時に広がり、挿脱後には元の状態に戻ることから、ビニール紐からなる把持部１３ａを間隙３の内外に容易に挿脱でき、把持部１３ａを本体１の間隙３に挿入し或いは溝７に張架することで持ち運ぶことができる。
【００３９】
したがって、上記した実施形態によれば、手提げ袋１１，１２，１３に収容した荷物が重くても、手提げ袋把持部を直接把持する場合のように手のひらに食い込んで痛くなることがない。
【００４０】
さらに、間隙３は、本体１を構成する部材の軸に対して垂直ではなく傾斜して形成され、しかも間隙３の間隔は、本体１の外周側および内周側が該外周側と内周側の間よりも広くなるように形成されており、本体１を構成する部材の弾性により、間隙３の間隔が手提げ袋把持部の挿脱時に３〜５ミリメートルに広がるとともに、挿脱後には元の１〜２ミリメートルの状態に戻るため、手提げ袋把持部を間隙３の内外に挿脱する際に、手提げ袋の種類を問わず容易に挿脱することができる。
【００４１】
また、手提げ袋把持部の挿入完了後には、間隙３の間隔が本体１を構成する部材の弾性によって元の狭い状態に戻っているため、持ち運び時に間隙３が指に当たる位置にあっても間隙３に指が嵌り込むこともなく、手提げ袋を違和感なく楽な姿勢で持ち運びすることができる。
【００４２】
さらに、本体１の内周側の角部分には面取りを施しているため、本体１の内周部分に通した手先、指先に痛みを与えることを防止でき、長時間の持ち運びも容易に行えるようになる。
【００４３】
また、本体１は扁平な円状を成すため、使用しないときにはポケットや鞄などに収納することができ、邪魔になることがない。
【００４４】
なお、本考案は上記した実施形態に限定されるものではなく、その趣旨を逸脱しない限りにおいて上述したもの以外に種々の変更を行うことが可能である。
【００４５】
具体的には、結束体９は必ずしも備えている必要はない。また、溝７も本体の外周面全面にわたって形成する必要はなく、例えば間隙３のある上半部分や下半部分など、手提げ袋把持部を張架し得る部分にのみ溝７を形成すればよい。
【００４６】
さらに、本体１の形状は図１に示すような扁平な円状に限らず、新円状や楕円状、矩形状であってもよい。また、本体１は、利用者の手の大きさに合わせて複数種類の大きさのものを準備しておくのが好ましい。また、間隙３は図１に示すように傾斜している必要はなく、本体１を構成する部材の軸に垂直に形成されていてもよい。
【図面の簡単な説明】
【００４７】
【図１】本考案の一実施形態の正面図である。
【図２】一実施形態の平面図である。
【図３】一実施形態の側面図である。
【図４】一実施形態の斜視図である。
【図５】一実施形態における結束体を示す図である。
【図６】一実施形態のある使用状態の図である。
【図７】一実施形態の他の使用状態の図である。
【図８】一実施形態の異なる使用状態の図である。
【図９】一実施形態のさらに異なる使用状態の図である。
【図１０】本考案を適用可能な手提げ袋を示す図である。
【符号の説明】
【００４８】
１…    本体
３…    間隙
７…    溝
９…    結束体
１１，１２，１３…    手提げ袋
１１ａ，１２ａ，１３ａ…    把持部
【図１】
0003143797.tif 000003
【図２】
0003143797.tif 000004
【図３】
0003143797.tif 000005
【図４】
0003143797.tif 000006
【図５】
0003143797.tif 000007
【図６】
0003143797.tif 000008
【図７】
0003143797.tif 000009
【図８】
0003143797.tif 000010
【図９】
0003143797.tif 000011
【図１０】
0003143797.tif 000012